【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
ドライバ回路であって、
変調電流をレーザー装置に供給する出力段と、
基準電流に応答して前記変調電流を発生する電流ミラー回路と
を備え、前記電流ミラー回路が、
前記基準電流を受信する第１トランジスタと、
前記第１トランジスタに結合されて前記変調電流を発生する第２トランジスタと、
前記第１及び第２トランジスタの一方のゲート端子に結合された出力端子を具える演算増幅器と
を備える、ドライバ回路。
【請求項２】
前記第１トランジスタは前記基準電流をドレイン端子で受信し、
前記第２トランジスタはドレイン端子に前記変調電流を発生し、
前記演算増幅器は、前記第１及び第２トランジスタから供給される差分信号に応答して出力信号を前記出力端子で発生して、前記第１及び第２トランジスタのゲート端子に供給する
請求項１に記載のドライバ回路。
【請求項３】
前記演算増幅器が、
前記第１トランジスタのソース端子及びドレイン端子の一方に結合された第１入力端子と、
前記第２トランジスタのソース端子及びドレイン端子の一方に結合された第２入力端子と
を更に備える、請求項１に記載のドライバ回路。
【請求項４】
前記第１入力端子は前記演算増幅器の非反転入力端子であり、前記第２入力端子は前記演算増幅器の反転入力端子である、請求項３に記載のドライバ回路。
【請求項５】
前記第１及び第２トランジスタのゲート端子並びに前記演算増幅器の出力端子に接続され、負帰還ループを安定させるキャパシタを更に備える、
請求項３に記載のドライバ回路。
【請求項６】
前記キャパシタの静電容量は、前記演算増幅器と関連するゲインと、前記第１及び第２トランジスタの寸法とに基づいて負帰還ループの位相シフトを位相余裕内に維持するように選択される、請求項５に記載のドライバ回路。
【請求項７】
前記電流ミラー回路は、前記基準電流の大きさにほぼ比例する大きさを有する前記変調電流を発生する、請求項１に記載のドライバ回路。
【請求項８】
前記第１及び第２トランジスタの複数のソース‐ドレイン電圧が、前記演算増幅器の出力に応答してほぼ一致する、請求項１に記載のドライバ回路。
【請求項９】
前記ドライバ回路は、単独の相補型金属酸化半導体（ＣＭＯＳ）装置内に形成される、請求項１に記載のドライバ回路。
【請求項１０】
システムであって、
並列データ信号に応答して直列データ信号を発生するシリアライザと、
光伝送媒体に結合されて、前記直列データ信号及び変調電流に応答して光信号を前記光伝送媒体に送信するのに適するレーザー装置と、
基準電流に応答して前記変調電流を発生するドライバ回路と
を備え、前記ドライバ回路が、
前記基準電流を受信する第１トランジスタと、
前記第１トランジスタに結合されて前記変調電流を発生する第２トランジスタと、
前記第１及び第２トランジスタのゲート端子に結合された出力端子を具える演算増幅器と
を備える、システム。
【請求項１１】
前記並列データ信号を発生するＳＯＮＥＴフレーマを更に備える、請求項１０に記載のシステム。
【請求項１２】
前記ＳＯＮＥＴフレーマに結合されたスイッチファブリックを更に備える、請求項１１に記載のシステム。
【請求項１３】
前記並列データ信号を媒体独立インターフェースで発生するイーサネットＭＡＣを更に備える、請求項１０に記載のシステム。
【請求項１４】
前記イーサネットＭＡＣに結合された多重化データバスを更に備える、請求項１３に記載のシステム。
【請求項１５】
前記イーサネットＭＡＣに結合されたスイッチファブリックを更に備える、請求項１３に記載のシステム。
【請求項１６】
複数の前記第１及び第２トランジスタの複数のゲート端子がキャパシタに結合されている、請求項１０に記載のシステム。
【請求項１７】
前記演算増幅器が、
前記第１トランジスタのソース端子及びドレイン端子の一方に結合された第１入力端子と、
前記第２トランジスタのソース端子及びドレイン端子の一方に結合された第２入力端子と
を更に備える、請求項１０に記載のシステム。
【請求項１８】
前記第１及び第２トランジスタの複数のソース‐ドレイン電圧が、前記演算増幅器の出力に応答してほぼ一致する、請求項１０に記載のシステム。
【請求項１９】
方法であって、
基準電流を電流ミラー回路の第１トランジスタで受信する段階と、
前記基準電流に応答して前記電流ミラー回路の第２トランジスタから変調電流を発生する段階と、
演算増幅器の出力信号を前記第１及び第２トランジスタの一方のゲート端子に供給する段階と、
データ信号及び前記変調電流に応答して光伝送媒体内の光信号を変調する段階と
を備える、方法。
【請求項２０】
キャパシタを複数の前記第１及び第２トランジスタのゲート端子に結合する段階を更に備える、請求項１９に記載の方法。
【請求項２１】
前記演算増幅器への第１入力を前記第１トランジスタのソース端子及びドレイン端子の一方から発生する段階と、
前記演算増幅器への第２入力を前記第２トランジスタのソース端子及びドレイン端子の一方から発生する段階と
を更に備える、請求項１９に記載の方法。
【請求項２２】
前記演算増幅器の前記出力信号に応答してほぼ一致した前記第１及び第２トランジスタのソース‐ドレイン電圧を維持する、請求項１９に記載の方法。
【請求項２３】
装置であって、
基準電流を電流ミラー回路の第１トランジスタで受信する手段と、
前記基準電流に応答して前記ミラー回路の第２トランジスタから変調電流を発生する手段と、
演算増幅器の出力信号を前記第１及び第２トランジスタの一方のゲート端子に供給する手段と、
データ信号及び前記変調電流に応答して光伝送媒体内の光信号を変調する手段と
を備える、装置。
【手続補正２】
【補正対象書類名】明細書
【補正対象項目名】０００２
【補正方法】変更
【補正の内容】
【０００２】
光ファイバーケーブルのような１つの光伝送媒体における複数のデータの送信は、ＩＥＥＥ‐Ｐ８０２．３ａｅと、国際電気通信連合（ＩＴＵ）により刊行された同期光ネットワーク／同期デジタルハイアラーキ（ＳＯＮＥＴ／ＳＤＨ）とで述べる複数のデータ伝送規格に従って１０ギガビット／秒及びそれを超える複数のデータ速度における通信を使用可能にしている。複数のデータを光伝送媒体内に送信するため、１つのレーザー装置が、波分割多重化（ＷＤＭ）を用いて１つのデータ信号に応答して１つの光信号を典型的に変調する。なお、本出願の国際調査、又は対応米国出願の米国での審査において、下記の特許文献及び非特許文献が発見されている。
【特許文献１】欧州特許出願公開第７５６３６２号明細書
【特許文献２】米国特許第６１９４９６７号明細書
【特許文献３】米国特許第６３５６３７４号明細書
【特許文献４】米国特許第６１８１１９５号明細書
【特許文献５】米国特許第６３１６９８７号明細書
【特許文献６】米国特許第６３８９０５０号明細書
【特許文献７】米国特許第６３９２２１５号明細書
【特許文献８】米国特許第６５３２２４５号明細書
【特許文献９】米国特許第６５８７４８９号明細書
【非特許文献１】Behzad Razavi "Design of Analog CMOS Integrated Circuits ", 2001, pp. 393 and 394
【非特許文献２】IEEE P802.3ae, Apr. 15, 2002, clauses 46-48
【手続補正３】
【補正対象書類名】明細書
【補正対象項目名】００２４
【補正方法】変更
【補正の内容】
【００２４】
現在考えられる本発明の複数の実施形態を図示し、説明したが、本発明の真の範囲を逸脱することなく、複数の当業者により様々なその他の変形例を構成し、複数の同等物を代替できることに注意すべきである。その上、ここで説明した主要な発明概念を逸脱することなく、多数の変形例を構成して１つの特定の状況を本発明の複数の教示に適合できる。
従って、本発明は、開示した特定の複数の実施形態に限定されないが、本発明は、請求項の範囲内に収まるすべての複数の実施形態を含むものとする。なお、前記演算増幅器が、前記第１トランジスタの１つのソース端子及び１つのドレイン端子の一方に結合された１つの第１入力端子と、前記第２トランジスタの１つのソース端子及び１つのドレイン端子の一方に結合された１つの第２入力端子とを更に備える。１つのシステムであって、１つの並列データ信号に応答して１つの直列データ信号を発生する１つシリアライザと、１つの光伝送媒体に結合されて、前記直列データ信号及び１つの変調電流に応答して１つの光信号を前記光伝送媒体に送信するのに適する１つのレーザー装置と、１つの基準電流に応答して前記変調電流を発生する１つのレーザードライバ回路とを備え、前記レーザードライバ回路が、前記基準電流を受信する１つの第１トランジスタと、前記第１トランジスタに結合されて前記変調電流を発生する１つの第２トランジスタと、複数の前記第１及び第２トランジスタの一方の１つのゲート端子に結合された１つの出力端子を具える１つの演算増幅器とを備える。１つの方法であって、前記演算増幅器への１つの第１入力を前記第１トランジスタの１つのソース端子及び１つのドレイン端子の一方から発生する段階と、前記演算増幅器への１つの第２入力を前記第２トランジスタの１つのソース端子及び１つのドレイン端子の一方から発生する段階とを更に備える。